(57)【要約】【課題】  電子データを直感的に操作することができる電子データ操作装置を提供する。【解決手段】  撮像装置１１と、撮像装置１１の撮影画像に基づいて操作対象のコンピュータの画像表示装置に表示された画像オブジェクトを識別する画像認識装置１２と、画像認識装置１２の認識結果に基づいて撮像装置１１に撮影された画像オブジェクトに対応する電子データを特定する操作対象特定装置１３と、操作対象特定装置１３によって特定された電子データに対する使用者からの処理命令を操作対象のコンピュータに送信する入力装置１４とを設ける。【選択図】    図２
2006301915.tif 000002
【特許請求の範囲】
【請求項１】
電子データを格納して各種処理を施すとともに前記電子データに対応する画像オブジェクトを画像表示装置に表示するコンピュータに、前記電子データの処理を行わせる電子データ操作装置であって、
撮像装置と、
該撮像装置の撮影画像に基づいて前記画像表示装置に表示された前記画像オブジェクトを識別する画像認識装置と、
該画像認識装置の認識結果に基づいて前記撮像装置に撮影された前記画像オブジェクトに対応する前記電子データを特定する操作対象特定装置と、
該操作対象特定装置によって特定された前記電子データに対する使用者からの処理命令を前記コンピュータに送信する入力装置とを有している電子データ操作装置。
【請求項２】
操作対象を特定するための照準装置を有しており、
前記操作対象特定装置が、前記照準装置の照準位置にある前記画像オブジェクトに対応する前記電子データを特定する請求項１記載の電子データ操作装置。
【請求項３】
前記照準装置が、使用者の実視野上に照準マークを虚像として表示する虚像画像表示装置である請求項２記載の電子データ操作装置。
【請求項４】
操作対象の前記コンピュータが、それぞれ固有の識別子を有するとともにネットワークを介して相互に接続されており、
前記操作対象特定装置が、前記識別子の情報に基づいて操作対象の前記コンピュータを特定し、
前記入力装置が、前記操作対象特定装置に特定された前記コンピュータに前記処理命令を送信する請求項１から３のいずれかに記載の電子データ操作装置。
【請求項５】
前記識別子が前記コンピュータに設けられた固有の画像情報とされており、
前記画像認識装置が、前記撮像装置の撮影画像に基づいて前記コンピュータに設けられた前記画像情報を識別し、
前記操作対象特定装置が、前記画像認識装置の認識結果に基づいて前記撮像装置に撮影された前記コンピュータを特定し、
前記入力装置が、前記操作対象特定装置によって特定された前記コンピュータに前記処理命令を送信する請求項４記載の電子データ操作装置。
【発明の詳細な説明】
【技術分野】
【０００１】
この発明は、コンピュータ（携帯情報端末等も含む）、特にネットワークを介して接続されたコンピュータ間での電子データの操作を行う電子データ操作装置に関するものである。
【背景技術】
【０００２】
初期のコンピュータのオペレーティングシステム（基本ソフト）は、ＣＵＩ（キャラクタユーザーインターフェイス）を採用していて、全ての操作はキーボードからコマンドを入力することによって行われていた。このオペレーティングシステムは、熟練すれば素早い操作が可能である一方で、直感的な操作がしづらく、習熟に時間と根気を要していた。
【０００３】
近年では、コンピュータの急激な普及に伴って、初心者でも操作が容易となるよう、ＧＵＩ（グラフィカルユーザーインターフェイス）を採用したオペレーティングシステムが用いられるようになってきた。このオペレーティングシステムは、記憶装置に格納された電子データまたは動作指令に対応する画像オブジェクト（アイコン）を画像表示装置上に表示し、同じく画像表示装置上に表示されたポインタ（カーソル）を、マウス等の入力装置によって移動させて、このポインタによって画像オブジェクトを指定することで、この画像オブジェクトに対応した電子データの操作や動作指令の実行を行うものである。
【０００４】
ＧＵＩ方式のオペレーティングシステムでは、操作内容を視覚的に把握することができるので、ＣＵＩ方式のオペレーティングシステムに比べて比較的直感的な操作が可能である。しかし、ＧＵＩ方式においても、実際の操作方法は、マウス等の入力装置によってポインタを操作することによって画像オブジェクトを指定するという間接的な操作方法であるため、入力装置の操作に習熟する必要があり、依然として直感的な操作が困難であった。
【０００５】
また、近年は、コンピュータの急速な普及に伴い、一般のオフィスや一般家庭においても、コンピュータを単独で利用するのではなく、複数のコンピュータをネットワークで接続して、各コンピュータ間でそれぞれが格納する電子データのやり取りを行うことが一般的になってきている。
ネットワーク上のコンピュータ間で電子データのやり取りを行うためには、ネットワーク上での互いの位置関係を把握しておく必要がある。しかし、ネットワーク上でのコンピュータの配置は、物理的なコンピュータの配置と異なっている場合が多い。例えば、すぐ隣の席に設置されているコンピュータであっても、ネットワーク上では非常に遠い配置となっていることがある。このため、ネットワーク上における電子データの操作を直感的に行うことは困難であった。
【０００６】
ネットワーク接続されたコンピュータ間でのより直感的な操作を可能にする装置としては、例えば後記の特許文献１に記載の電子データ操作装置が考案されている。
特許文献１に記載の情報入出力システムは、ネットワークを介して接続された複数のコンピュータ間で共通の仮想デスクトップを設定し、この仮想デスクトップ上での操作を実際の電子データの操作に反映させるものである。
【特許文献１】特開２００１−１３６５０４号公報（段落［００６５］〜［００７２］、図１６等）
【発明の開示】
【発明が解決しようとする課題】
【０００７】
しかし、この情報入出力システムにおいても、電子データの操作には、従来と同様にマウス等のポインティングデバイスを用いているので、直感的な操作が困難であった。
また、仮想デスクトップを形成するためにプロジェクタが必要であり、また各コンピュータを仮想デスクトップ上に配置しなければならないので、電子データのやり取りを行うことができる範囲が限定されてしまう。
【０００８】
この発明は上述した事情に鑑みてなされたものであって、電子データを直感的に操作することができる電子データ操作装置を提供することを目的としている。
【課題を解決するための手段】
【０００９】
上記目的を達成するために、本発明は、以下の手段を提供する。
本発明は、電子データを格納して各種処理を施すとともに前記電子データに対応する画像オブジェクトを画像表示装置に表示するコンピュータに、前記電子データの処理を行わせる電子データ操作装置であって、撮像装置と、該撮像装置の撮影画像に基づいて前記画像表示装置に表示された前記画像オブジェクトを識別する画像認識装置と、該画像認識装置の認識結果に基づいて前記撮像装置に撮影された前記画像オブジェクトに対応する前記電子データを特定する操作対象特定装置と、該操作対象特定装置によって特定された前記電子データに対する使用者からの処理命令を前記コンピュータに送信する入力装置とを有している電子データ操作装置を提供する。
【００１０】
このように構成される電子データ操作装置では、使用者が、コンピュータの画像表示装置に表示されている画像オブジェクトを撮像装置によって撮影することで、この画像オブジェクトが画像認識装置によって識別され、この識別結果に基づいて、操作対象特定装置が撮像装置に撮影された画像オブジェクトに対応する電子データを特定する。
そして、使用者が、操作対象特定装置に特定された電子データ（すなわち操作対象の電子データ）に対する処理命令を入力装置に入力することで、この処理命令がコンピュータに送信されて、コンピュータによって操作対象の電子データに所望の処理が施される。
【００１１】
すなわち、この電子データ操作装置では、使用者が撮像装置を用いて操作対象の電子データに対応する画像オブジェクトを撮影することで、操作対象となる電子データが自動的に特定されるので、従来のようにマウス等の入力装置によってポインタを操作して操作対象の電子データを特定するという間接的な操作方法に比べて、より直感的にオブジェクトの操作を行うことができる。
さらに、この電子データ操作装置では、従来のようにカーソル等のポインタをマウス等で移動させるなどの細かい操作が不要であるので、コンピュータに不慣れな人や細かい操作の困難な人にも容易にコンピュータを操作することができる。
【００１２】
ここで、画像表示装置上に複数の画像オブジェクトが表示されている場合は、各画像オブジェクト（もしくはその周辺）に固有の画像情報を持たせ、撮像装置によって操作対象の電子データに対応する画像オブジェクトのみ（もしくはこの画像オブジェクトとその周辺のみ）を撮影することで、撮影画像に基づく操作対象の電子データの特定を行うことができる。ここで、固有の画像情報としては、例えば画像オブジェクトの模様の他、文字や記号等（バーコード等も含む）を用いることができる。
【００１３】
また、この電子データ操作装置が、操作対象を特定するための照準装置を有しており、前記操作対象特定装置が、前記照準装置の照準位置にある前記画像オブジェクトに対応する前記電子データを特定するようにしてもよい。
このように構成される電子データ操作装置では、照準装置の照準を操作対象の電子データに対応した画像オブジェクトに合わせることで、操作対象の電子データを特定することができる。
【００１４】
すなわち、使用者は、自身の視覚による物体の認識と同様の手順でコンピュータの画像表示装置上に表示された画像オブジェクトを操作対象特定装置に認識させることができるので、従来のキーボードやマウス等の入力装置を用いた間接的な操作方法に比べて、より直感的にオブジェクトの操作を行うことができる。
特に、画像表示装置上に複数の画像オブジェクトが表示されている場合などに、使用者が操作対象を容易かつ直感的に把握することができ、より直感的な操作が可能となる。
なお、照準装置としては、一般的な照準装置の他、照準位置にレーザー光を照射してスポットを形成するレーザーポインタ等を用いてもよい。
【００１５】
また、この電子データ操作装置において、前記照準装置が、使用者の実視野上に照準マークを虚像として表示する虚像表示装置であってもよい。
このように構成される電子データ操作装置では、照準マークが使用者の実視野上に虚像として表示されるので、使用者が違和感を覚えにくく、より直感的な操作が可能となる。
【００１６】
また、この電子データ操作装置において、操作対象の前記コンピュータが、それぞれ固有の識別子を有するとともにネットワークを介して相互に接続されており、前記操作対象特定装置が、前記識別子の情報に基づいて操作対象の前記コンピュータを特定し、前記入力装置が、前記操作対象特定装置に特定された前記コンピュータに前記処理命令を送信するようにしてもよい。
【００１７】
このように構成される電子データ操作装置では、操作対象特定装置によって複数のコンピュータを操作対象として特定することで、これらの間で電子データの直感的な操作を行うことができる。
例えば、コンピュータ間での電子データのコピー（または移動）の際は、操作対象となる電子データが格納されているコンピュータとコピーした電子データを格納したいコンピュータ（または電子データを移動させたいコンピュータ）とを操作対象特定装置によって特定し、前記のように操作対象となる電子データを特定して、入力装置にこれらのコンピュータ間での電子データのコピー（または移動）指令を入力することで、電子データのコピー（または移動）を行うことができる。
ここで、識別子としては、一般的に用いられる任意の識別子、例えば文字、記号等（バーコード等も含む）や模様、外見的特徴等の画像情報の他、無線ＩＤタグ等の識別子を用いてもよい。
【００１８】
また、この電子データ操作装置において、前記識別子が前記コンピュータに設けられた固有の画像情報とされており、前記画像認識装置が、前記撮像装置の撮影画像に基づいて前記コンピュータに設けられた前記画像情報を識別し、前記操作対象特定装置が、前記画像認識装置の認識結果に基づいて前記撮像装置に撮影された前記コンピュータを特定し、前記入力装置が、前記操作対象特定装置によって特定された前記コンピュータに前記処理命令を送信するようにしてもよい。
【００１９】
このように構成される電子データ操作装置では、撮像装置によって操作対象のコンピュータを撮影することで、操作対象のコンピュータを特定することができる。
すなわち、この電子データ操作装置では、使用者は操作対象のコンピュータの物理的な位置のみ把握していれば電子データの操作を行うことができるので、より直感的な操作が可能となる。
また、この電子データ操作装置では、撮像装置の撮影画像から識別子を識別可能な距離にあるコンピュータであれば操作対象とすることができ、また、使用者が撮像装置を持って移動すれば、ネットワーク上のコンピュータのうち、物理的にアクセスすることが可能なコンピュータの全てを操作対象とすることができる。
ここで、画像情報としては、文字、記号等（バーコード等も含む）や模様、コンピュータの外見的特徴等を用いることができる。
【発明の効果】
【００２０】
本発明に係る電子データ操作装置によれば、使用者が撮像装置を用いて操作対象の電子データに対応する画像オブジェクトを撮影することで、操作対象となる電子データが自動的に特定されるので、従来のようにマウス等の入力装置によってポインタを操作して操作対象の電子データを特定するという間接的な操作方法に比べて、より直感的にオブジェクトの操作を行うことができる。
【発明を実施するための最良の形態】
【００２１】
以下、本発明の一実施形態に係る電子データ操作装置について、図１から図４を参照して説明する。
図１に示すように、本実施形態に係る電子データ操作装置１は、ネットワーク２で接続された複数のコンピュータ３間、もしくは各コンピュータ３内での電子データの操作に用いられるものである。
【００２２】
ここで、各コンピュータ３は、電子データを格納する記憶装置６と、画像を表示する画像表示装置７と、記憶装置６への電子データの読み書き及び各種の処理を行うとともに画像表示装置７に電子データに対応した画像オブジェクト８を表示させる演算装置９と、固有の識別子１０とを有している。本実施形態では、識別子１０は、各コンピュータ３に設けられたタグ等に表示された固有の画像情報とされている。
固有の画像情報としては、例えばコンピュータ３の使用者名、コンピュータ３の管理番号、またはこれらを示すバーコード等の他、各コンピュータ３に固有のものであれば任意のものを用いることができる。
【００２３】
電子データ操作装置１は、図２に示すように、撮像装置１１と、撮像装置１１の撮影画像に基づいて画像表示装置７に表示された画像オブジェクト８を識別する画像認識装置１２と、画像認識装置１２の認識結果に基づいて撮像装置１１に撮影された画像オブジェクト８に対応する電子データを特定する操作対象特定装置１３と、操作対象特定装置１３によって特定された電子データに対する使用者からの処理命令を操作対象のコンピュータ３に送信する入力装置１４とを有している。
【００２４】
本実施形態では、電子データ操作装置１は、使用者が携帯可能な操作端末１６と、所定位置に固定的に設置される装置本体１７と、これら操作端末１６に設けられる部材と装置本体１７に設けられる部材との間で有線または無線による通信を行う通信装置１８とを有している。本実施形態では、通信装置は無線による通信を行う構成とされており、これによって操作端末１６の携帯性を向上させている。
【００２５】
操作端末１６には、上記の電子データ操作装置１の構成部材のうち、少なくとも撮像装置１１及び入力装置１４の操作部１４ａが設けられており、使用者は、操作端末１６を携帯することで、任意の位置で撮像装置１１による撮影、及び入力装置１４への入力操作を行うことができるようになっている。使用者が携帯して任意の位置で撮影を行うことが可能とされている。
【００２６】
本実施形態では、上記の電子データ操作装置１の構成部材のうち、撮像装置１１及び入力装置１４の操作部以外の構成部材（入力装置本体１４ｂ）が装置本体１７に設けられていて、これによって操作端末１６の小型化、軽量化が図られている。
【００２７】
図３に示すように、操作端末１６には、操作対象を特定するための照準装置２１が設けられている。本実施形態では、照準装置２１として、使用者の実視野上に照準マークを虚像として表示する虚像表示装置が用いられている。
照準装置２１は、画像表示部２２及びコンバイナー２３を備えている。これら画像表示部２２及びコンバイナー２３は、格納状態で、操作端末１６の筐体１６ａを貫通する開口部２４の空間部に収納され（図４参照）、それぞれが矩形状とした短辺側の一辺を筐体１６ａに軸支されて揺動による開閉動作が可能とされる。
【００２８】
画像表示部２２は、例えば、液晶表示パネル（ＬＣＤ）や有機ＥＬ表示パネル等のいわゆる薄型ディスプレイ（以下「表示面」という。）２６を備え、後述する画像表示制御部２１ａ（図２参照）から出力された情報を表示面２６に表示する。この画像表示部２２は、例えば、筐体１６ａに軸支されている支持部材２８に固定され、その表示面２６は、後述するコンバイナー２３と格納状態で対向する面に、換言すれば、筐体１６ａの内側に向けられている。
画像表示制御部２１ａは、電子データ操作装置１の動作状態や操作対象の情報その他を表示面２６に表示させるものである。
【００２９】
コンバイナー２３は、画像表示部２２からの光、すなわち画像表示部２２の表示面２６に表示された情報の光を反射するとともに、使用者の視線方向の実視野からの光を透過する半透過型光学素子である。換言すれば、コンバイナー２３は、少なくとも１面に自由曲面（３次元非球面）を備え、実視野となる外界像を透過するとともに、画像表示部２２の表示面２６に表示された情報（例えば、照準マークを含む画像や文字）を光学的に虚像として実視野中の実像に重畳的に表示する半透過型光学素子である。
【００３０】
本実施形態において、コンバイナー２３は、例えば、アクリルやポリカーボネート等の透明な材質からなる略長方形板状の部材であり、その片面側に金属膜等の反射層が形成されている。この反射層の表面が、画像表示部２２から入射した光を表面で反射させる反射面２７となる。
なお、上記コンバイナー２３としては、上述の半透過型光学素子のほか、例えば、ハーフミラー、ホログラム素子などを採用することも可能であり、目的に応じてこれらの１つを適宜選択して採用することが可能である。
【００３１】
操作端末１６の収納時においては、図４に示すように、画像表示部２２とコンバイナー２３とが開口部２４に収納され、このため、画像表示部２２とコンバイナー２３とが重ねられた状態で、画像表示部２２に表示された情報がコンバイナー２３を介して使用者に直接的に提供される。
一方、操作端末１６の使用時においては、図３に示すように、コンバイナー２３の反射面２７と画像表示部２２の表示面２６とが略対向し、かつ、筐体１６ａとともに略Ｚ字状を形成するように開かれる。
【００３２】
そして、図５に示すように、筐体１６ａの後端部側となる側面１６ｂが使用者の側頭部に押し当てられるように保持される。この状態において、画像表示部２２の表示面２６に表示された情報の光は、開口部２４を通じて斜め前方へ向けて出射され、反射面２７によって筐体１６ａの後端部側へ向けて反射される。これにより、使用者には、コンバイナー２３の前方に、すなわち、使用者から見てコンバイナー２３よりも遠方に、画像表示部２２に表示された情報が虚像として視認される。
【００３３】
撮像装置１１は、コンバイナー２３を介した実視野中の情報を取得する。このため、撮像装置１１は、図５に示すように、当該操作端末の使用時において、使用者の視線方向に広がるコンバイナー２３を介した実視野の風景を撮像可能な位置に設けられている。撮像装置１１は、使用者の視線方向の風景を撮像し、取得した画像を、通信装置１８を介して画像認識装置１２へ出力する。
撮像装置１１としては、例えば、ＣＣＤ素子等の撮像素子を用いたデジタル式撮像装置が用いられる。
操作部１４ａは、複数のテンキーやボタンなどを備えるマンインターフェイス（入力部）として機能するものであり、使用者による操作内容に応じた信号を、通信装置１８を介して入力装置本体１４ｂに出力する。
【００３４】
画像認識装置１２は、撮像装置１１の撮影画像に基づいて、撮像装置１１に撮影されたコンピュータ３（操作対象のコンピュータ３）に設けられた識別子１０と、このコンピュータ３の画像表示装置７上に表示された画像オブジェクト８とを識別する。
【００３５】
操作対象特定装置１３は、画像認識装置１２の認識結果に基づいて操作対象のコンピュータ３を特定するとともに、照準装置１６の照準位置にある画像オブジェクト８に対応する電子データを特定する構成とされている。
具体的には、操作対象特定装置１３は、図示せぬ記憶装置に予め記憶させておいた識別子１０と各コンピュータ３との対応関係の情報、もしくは識別子１０自体が備えるコンピュータ３の識別情報に基づいて、操作対象のコンピュータ３を特定する。
【００３６】
また、操作対象特定装置１３は、操作対象のコンピュータ３に、画像表示装置７上での各画像オブジェクト８の位置を問合せて、この位置情報と撮像装置１１の撮影した画像情報に基づいて、照準位置にある画像オブジェクト８を特定する。操作対象特定装置１３は、このように照準位置にある画像オブジェクト８を特定したのちは、操作対象のコンピュータ３に、この画像オブジェクト８に対応する電子データの情報を問い合わせて、操作対象の電子データとして特定する。
【００３７】
入力装置１４は、操作対象特定装置１３に特定されたコンピュータ３に、例えばネットワーク２を介して処理命令を送信する構成とされている。この処理命令は、例えばネットワーク２における通信プロトコルに定められた電子データの処理命令であって、この処理命令を受信したコンピュータ３は、使用者の権限の許す範囲内で、この処理命令に従って操作対象の電子データの処理を行う。
【００３８】
以下、このように構成される電子データ操作装置１による電子データの操作方法を説明する。
以下、同一のコンピュータ３内での電子データの操作を行う場合について説明する。
【００３９】
電子データの操作にあたって、図６（ａ）に示すように、使用者は、まず、操作対象のコンピュータ３のうち少なくとも識別子１０が設けられている領域と、このコンピュータ３の画像表示装置７に表示されている画像オブジェクト８のうち操作対象の電子データに対応する画像オブジェクト８を撮像装置１１によって撮影する。ここで、図６において、撮像装置１１の撮影範囲Ｒ（すなわち操作端末１６を使用している使用者の視界）を破線で示す。
【００４０】
これにより、このコンピュータ３及び画像オブジェクト８が画像認識装置１２によって識別され、この識別結果に基づいて、操作対象特定装置１３が撮像装置１１に撮影された操作対象のコンピュータ３の特定と、操作対象画像オブジェクト８に対応する電子データの特定とを行う。
【００４１】
ここで、操作対象のコンピュータ３の表示装置７上に、操作対象の電子データに対応する画像オブジェクト８が表示されていない場合には、操作対象のコンピュータ３を操作して、その表示装置７に、コピーしたい電子データに対応する画像オブジェクト８を表示させる。この操作は、操作部１４ａを操作することによって操作対象のコンピュータ３に動作指令を送ることによって行ってもよく、また、操作対象のコンピュータ３を直接操作しておこなってもよい。
【００４２】
また、操作対象のコンピュータ３の表示装置７上に複数の画像オブジェクト８が表示されている場合には、図６（ｂ）に示すように、使用者が操作端末１６に設けられた照準装置２１の照準マークＭを操作対象の電子データに対応する画像オブジェクト８ａに合わせた状態で撮像装置１１による撮影を行うことで、操作対象特定装置１３が、照準装置２１の照準位置にある画像オブジェクト８ａに対応する電子データを特定する。
【００４３】
なお、照準装置２１は、例えば使用者の実視野（すなわち撮像装置１１の撮影範囲Ｒ）の中央部に固定的に照準マークＭを表示する構成とされており、操作対象特定装置１３は、撮像装置１１の撮影画像のうち、使用者の実視野においては照準マークが表示されている領域に位置する画像オブジェクト８に対応する電子データを特定する構成とされている。本実施形態では、照準マークＭとして十字マークを用いている。
【００４４】
そして、使用者が、操作部１４ａを操作して、操作対象特定装置１３に特定された電子データ（すなわち操作対象の電子データ）に対する処理命令を入力装置１４に入力することで、この処理命令が操作対象のコンピュータ３に送信されて、コンピュータ３によって操作対象の電子データに所望の処理が施される。
【００４５】
次に、異なるコンピュータ３間で電子データの処理を行う場合について説明する。
以下では、異なるコンピュータ３間で電子データのコピーを行う場合を例にとって説明する。
この場合においても、使用者は、図７（ａ）に示すように、前記した同一のコンピュータ３で電子データを処理する場合と同じ要領で、電子データ操作装置１に、操作対象の電子データが格納されているコンピュータ３ａと操作対象の電子データに対応する画像オブジェクト８ａを認識させる。
【００４６】
同様にして、使用者は、図７（ｂ）に示すように、電子データ操作装置１に、コピーした電子データを受け渡したいコンピュータ３ｂを認識させる。そして、操作部１４ａを操作して電子データのコピー指令を操作対象のコンピュータ３ａ，３ｂに送ることで、操作対象のコンピュータ３ａ，３ｂ間で操作対象の電子データのコピーが行われる。
【００４７】
このようにして電子データのコピーを行うことで、図７（ｃ）に示すように、コピーした電子データを受け渡されたコンピュータ３ｂの画像表示装置７上に、コピーした電子データに対応する画像オブジェクト８ａが作成され、以降はこのコンピュータ３ｂ上で電子データと画像オブジェクト８ａとが対として管理される。
【００４８】
以上述べたように、この電子データ操作装置１では、使用者が撮像装置１１を用いて操作対象のコンピュータ３及び操作対象の電子データに対応する画像オブジェクト８を撮影することで、操作対象となる電子データが自動的に特定されるので、従来のようにマウス等の入力装置によってポインタを操作して操作対象の電子データを特定するという間接的な操作方法に比べて、より直感的にオブジェクトの操作を行うことができる。
【００４９】
さらに、この電子データ操作装置１では、従来のようにカーソル等のポインタをマウス等で移動させるなどの細かい操作が不要であるので、コンピュータに不慣れな人や細かい操作の困難な人にも容易にコンピュータを操作することができる。
特に、この電子データ操作装置１では、ネットワーク２によって接続されたコンピュータ３間で電子データの直感的な操作を行うことができる。
【００５０】
さらに、この電子データ操作装置１では、撮像装置１１によって操作対象のコンピュータ３を撮影することで、操作対象のコンピュータ３を特定することができる。
すなわち、この電子データ操作装置１では、使用者は操作対象のコンピュータ３の物理的な位置のみ把握していれば電子データの操作を行うことができるので、より直感的な操作が可能となる。
【００５１】
また、この電子データ操作装置１では、撮像装置１１の撮影画像から識別子１０を識別可能な距離にあるコンピュータ３であれば操作対象とすることができ、また、使用者が撮像装置１１（操作端末１６）を持って移動すれば、ネットワーク２上のコンピュータ３のうち、使用者のアクセス権限が及ぶ範囲内で物理的にアクセスすることが可能なコンピュータ３の全てを操作対象とすることができる。
【００５２】
また、この電子データ操作装置１では、照準装置２１の照準位置にある画像オブジェクト８に対応する電子データが操作対象として特定される。
すなわち、使用者は、自身の視覚による物体の認識と同様の手順でコンピュータ３の画像表示装置７上に表示された画像オブジェクト８を操作対象特定装置１３に認識させることができるので、従来のキーボードやマウス等の入力装置を用いた間接的な操作方法に比べて、より直感的にオブジェクトの操作を行うことができる。
特に、画像表示装置７上に複数の画像オブジェクト８が表示されている場合などに、使用者が操作対象を容易かつ直感的に把握することができ、より直感的な操作が可能となる。
また、この電子データ操作装置１では、照準マークＭが使用者の実視野上に虚像として表示されるので、使用者が違和感を覚えにくく、より直感的な操作が可能となる。
【００５３】
ここで、上記実施の形態では、操作対象の画像オブジェクト８を、照準装置１１を用いて特定する例を示したが、これに限られることなく、例えば、各画像オブジェクト８（もしくはその周辺）に固有の画像情報を持たせ、撮像装置１１によって操作対象の電子データに対応する画像オブジェクト８のみ（もしくはこの画像オブジェクト８とその周辺のみ）を撮影することで、撮影画像に基づく操作対象の電子データの特定を行う構成としてもよい。ここで、固有の画像情報としては、例えば画像オブジェクト８の模様の他、文字や記号等（バーコード等も含む）を用いることができる。
【００５４】
また、上記実施の形態では、照準装置２１として、使用者の実視野上に照準マークを虚像表示する虚像表示装置を用いた例を示したが、これに限られることなく、一般的な照準装置の他、照準位置にレーザー光を照射してスポットを形成するレーザーポインタ等を用いてもよい。
【００５５】
また、上記実施の形態では、入力装置１４が、操作対象のコンピュータ３に対して、ネットワーク２を介して、ネットワーク２の通信プロトコルで定められた電子データの処理命令を送信する構成としたが、これに限られることなく、入力装置４に操作対象のコンピュータ３と直接通信が可能な通信装置を設けて、この通信装置を介して操作対象のコンピュータ３に電子データの処理命令を送信する構成としてもよい。
【図面の簡単な説明】
【００５６】
【図１】本発明の一実施形態に係る電子データ操作装置の構成を示す図である。
【図２】本発明の一実施形態に係る電子データ操作装置の構成を示すブロック図である。
【図３】本発明の一実施形態に係る電子データ操作装置の操作端末の構成を示す斜視図である。
【図４】本発明の一実施形態に係る電子データ操作装置の操作端末の構成を示す斜視図である。
【図５】本発明の一実施形態に係る電子データ操作装置の操作端末の作用を説明する図である。
【図６】本発明の一実施形態に係る電子データ操作装置による電子データの操作手順を示す図である。
【図７】本発明の一実施形態に係る電子データ操作装置による電子データの操作手順を示す図である。
【符号の説明】
【００５７】
１  電子データ操作装置
２  ネットワーク
３  コンピュータ
６  記憶装置
７  画像表示装置
８  画像オブジェクト
１０  識別子
１１  撮像装置
１２  画像認識装置
１３  操作対象特定装置
１４  入力装置
２１  照準装置
【図１】
2006301915.tif 000003
【図２】
2006301915.tif 000004
【図３】
2006301915.tif 000005
【図４】
2006301915.tif 000006
【図５】
2006301915.tif 000007
【図６】
2006301915.tif 000008
【図７】
2006301915.tif 000009